(57)【要約】【課題】複数の色を含む画像を白黒で表現する場合に、元の画像における特定の色に対応する部分の視認性を高めること。【解決手段】画像処理装置３の記憶部３２に、色空間における特定の色の範囲を記憶させておく。画像処理装置３の制御部３１は、画像データが表す画像に対して、当該画像における前記範囲に該当する領域の色を黒色に変更する処理と、当該領域の周囲に黒色の画像を付加する処理と、を施した画像を表す画像データを生成する。画像形成装置１は、この画像データが表す画像を黒色の色材で記録用紙に形成する。【選択図】図５
2010232736.tif 000002
【特許請求の範囲】
【請求項１】
色空間における特定の色の範囲を記憶する記憶手段と、
画像データを取得する取得手段と、
前記取得手段によって取得された画像データが表す画像に対して、当該画像における前記範囲に該当する領域の色を黒色に変更する処理と、当該領域の周囲に黒色の画像を付加する処理と、を施した画像を表す画像データを生成する生成手段と
を備えることを特徴とする画像処理装置。
【請求項２】
色空間における特定の色の範囲を記憶する記憶手段と、
画像データを取得する取得手段と、
前記取得手段によって取得された画像データが表す画像に対して、当該画像における前記範囲に該当する領域の色を黒色に変更する処理と、当該領域の形状を変化させる処理と、を施した画像を表す画像データを生成する生成手段と
を備えることを特徴とする画像処理装置。
【請求項３】
前記記憶手段が、色空間における赤色の範囲を記憶することを特徴とする請求項１または２に記載の画像処理装置。
【請求項４】
請求項１乃至３のいずれかに記載の画像処理装置と、
当該画像処理装置によって生成された画像データが表す画像を黒色の色材で記録用紙に形成する画像形成手段と
を備えることを特徴とする画像形成装置。
【請求項５】
コンピュータを、
色空間における特定の色の範囲を記憶する記憶手段と、
画像データを取得する取得手段と、
前記取得手段によって取得された画像データが表す画像に対して、当該画像における前記範囲に該当する領域の色を黒色に変更する処理と、当該領域の周囲に黒色の画像を付加する処理と、を施した画像を表す画像データを生成する生成手段
として機能させるためのプログラム。
【請求項６】
コンピュータを、
色空間における特定の色の範囲を記憶する記憶手段と、
画像データを取得する取得手段と、
前記取得手段によって取得された画像データが表す画像に対して、当該画像における前記範囲に該当する領域の色を黒色に変更する処理と、当該領域の形状を変化させる処理と、を施した画像を表す画像データを生成する生成手段
として機能させるためのプログラム。
【発明の詳細な説明】
【技術分野】
【０００１】
本発明は、画像処理装置、画像形成装置およびプログラムに関する。
【背景技術】
【０００２】
文書中の特定の文字列を強調するためにその文字列を黒色以外の色で着色することは常套手段として行われている。ところが、この文書を白黒印刷すると、黒色以外の色で着色されていた文字列が灰色で表されるため、かえってこの文字列の視認性が低下してしまう。このような問題を解決するための技術として、文字の色の違いに応じて、文字に縁取り等を付加したカラー文書を作成する技術が知られている（特許文献１）。
【先行技術文献】
【特許文献】
【０００３】
【特許文献１】特開平１０−１５１８３０号公報
【発明の概要】
【発明が解決しようとする課題】
【０００４】
本発明は、複数の色を含む画像を白黒で表現する場合に、元の画像における特定の色に対応する部分の視認性を高めることを目的とする。
【課題を解決するための手段】
【０００５】
請求項１に係る発明は、色空間における特定の色の範囲を記憶する記憶手段と、画像データを取得する取得手段と、前記取得手段によって取得された画像データが表す画像に対して、当該画像における前記範囲に該当する領域の色を黒色に変更する処理と、当該領域の周囲に黒色の画像を付加する処理と、を施した画像を表す画像データを生成する生成手段とを備えることを特徴とする画像処理装置である。
【０００６】
請求項２に係る発明は、色空間における特定の色の範囲を記憶する記憶手段と、画像データを取得する取得手段と、前記取得手段によって取得された画像データが表す画像に対して、当該画像における前記範囲に該当する領域の色を黒色に変更する処理と、当該領域の形状を変化させる処理と、を施した画像を表す画像データを生成する生成手段とを備えることを特徴とする画像処理装置である。
【０００７】
請求項３に係る発明は、前記記憶手段が、色空間における赤色の範囲を記憶することを特徴とする請求項１または２に記載の画像処理装置である。
【０００８】
請求項４に係る発明は、請求項１乃至３のいずれかに記載の画像処理装置と、当該画像処理装置によって生成された画像データが表す画像を黒色の色材で記録用紙に形成する画像形成手段とを備えることを特徴とする画像形成装置である。
【０００９】
請求項５に係る発明は、コンピュータを、色空間における特定の色の範囲を記憶する記憶手段と、画像データを取得する取得手段と、前記取得手段によって取得された画像データが表す画像に対して、当該画像における前記範囲に該当する領域の色を黒色に変更する処理と、当該領域の周囲に黒色の画像を付加する処理と、を施した画像を表す画像データを生成する生成手段として機能させるためのプログラムである。
【００１０】
請求項６に係る発明は、コンピュータを、色空間における特定の色の範囲を記憶する記憶手段と、画像データを取得する取得手段と、前記取得手段によって取得された画像データが表す画像に対して、当該画像における前記範囲に該当する領域の色を黒色に変更する処理と、当該領域の形状を変化させる処理と、を施した画像を表す画像データを生成する生成手段として機能させるためのプログラムである。
【発明の効果】
【００１１】
請求項１に係る発明によれば、複数の色を含む画像を白黒で表現する場合に、本構成を有しない場合と比較して、元の画像における特定の色に対応する部分の視認性を高めることができる。
請求項２に係る発明によれば、複数の色を含む画像を白黒で表現する場合に、本構成を有しない場合と比較して、元の画像における特定の色に対応する部分の視認性を高めることができる。
請求項３に係る発明によれば、赤色を含んだ複数の色を含む画像を白黒で表現する場合に、本構成を有しない場合と比較して、元の画像における赤色に対応する部分の視認性を高めることができる。
請求項４に係る発明によれば、複数の色を含む画像を白黒で表現して印刷する場合に、本構成を有しない場合と比較して、元の画像における特定の色に対応する部分の視認性を高めた画像を印刷することができる。
請求項５に係る発明によれば、複数の色を含む画像を白黒で表現する場合に、本構成を有しない場合と比較して、元の画像における特定の色に対応する部分の視認性を高めることができる。
請求項６に係る発明によれば、複数の色を含む画像を白黒で表現する場合に、本構成を有しない場合と比較して、元の画像における特定の色に対応する部分の視認性を高めることができる。
【図面の簡単な説明】
【００１２】
【図１】本発明の実施形態に係るシステムの全体構成を示す図である。
【図２】画像形成装置１の構成を示すブロック図である。
【図３】画像処理装置３の構成を示すブロック図である。
【図４】文字列の画像を示す図である。
【図５】制御部３１が実行する処理のフローを示す図である。
【図６】ダイアログボックス５を示す図である。
【図７】文字列の画像を示す図である。
【図８】棒グラフの画像を示す図である。
【発明を実施するための形態】
【００１３】
（１）構成
図１は、本実施形態に係るシステムの全体構成を示す図である。
画像形成装置１と画像処理装置３とは、ＬＡＮ（Local Area Network）等の通信手段２で接続されている。画像形成装置１は、複写、画像形成、画像読取等の機能を兼ね備えている。画像処理装置３は、例えばパーソナルコンピュータであり、各種の画像処理を行う機能を有する。画像処理装置３は、画像データを通信手段２経由で画像形成装置１に供給し、その画像データに応じた画像を形成するよう画像形成装置１に指示を与える機能を有する。なお、図１において１台の画像形成装置１と３台の画像処理装置３を図示しているが、通信手段２に接続される画像形成装置１や画像処理装置３の数はこれに限らない。
【００１４】
図２は、画像形成装置１の構成を示したブロック図である。
画像形成装置１は、制御部１１、記憶部１２、操作部１３、表示部１４、通信部１５、画像読取部１６、および画像形成部１７を備えている。制御部１１は、ＣＰＵ（Central Processing Unit）と、ＲＯＭ（Read Only Memory）と、ＲＡＭ（Random Access Memory）とを備えており、ＣＰＵがＲＯＭや記憶部１２に記憶されているプログラムを実行することによって画像形成装置１の各部を制御する。記憶部１２は、ＨＤＤ（Hard Disk Drive）等の不揮発性の補助記憶装置であり、各種のプログラムやデータが記憶されている。操作部１３は、複数のキーを備えており、使用者の操作を受け付けてその操作に応じた信号を制御部１１に出力する。表示部１４は、液晶表示画面および液晶駆動回路を備えており、制御部１１から供給される情報に基づいて処理の進行状況や使用者に操作を案内する情報などを表示する。通信部１５は、通信インタフェースを備えており、通信手段２を介して画像処理装置３と通信を行う。
【００１５】
画像読取部１６は、ＣＣＤ（Charge Coupled Device）等の撮像素子を備えており、記録用紙に形成されている画像を撮像素子によって読み取り、読み取った画像を表す画像データを生成する。画像形成部１７は、像を保持する感光体ドラム、画像データに基づいて露光を行うことにより感光体ドラム上に静電潜像を形成する露光部、静電潜像を現像してトナー像を形成する現像部、トナー像を記録用紙へ転写する転写部、および、記録用紙に転写されたトナー像を記録用紙に定着させる定着部を備えている。画像形成部１７は、画像読取部１６によって生成された画像データが表す画像、または、通信部１５を介して受信した画像データが表す画像を記録用紙に形成する。画像形成部１７は、画像処理装置によって生成された画像データが表す画像を記録用紙等の記録媒体に形成する画像形成手段の一例である。
【００１６】
図３は、画像処理装置３の構成を示したブロック図である。
画像処理装置３は、制御部３１、記憶部３２、操作部３３、表示部３４および通信部３５を備えている。制御部３１は、ＣＰＵ（Central Processing Unit）と、ＲＯＭ（Read Only Memory）と、ＲＡＭ（Random Access Memory）とを備えており、ＣＰＵがＲＯＭや記憶部３２に記憶されているプログラムを実行することによって画像処理装置３の各部を制御する。操作部３３は、キーボードおよびマウスを備えており、使用者の操作を受け付けて、その操作に応じた信号を制御部３１に供給する。表示部３４は、ＣＲＴ（Cathode Ray Tube）や液晶表示画面等の表示手段である。この表示部３４は、制御部３１から供給される画像データに基づいて各種の情報を表示する。通信部３５は、通信回路や通信インタフェースを備えており、通信手段２を介して画像形成装置１と通信を行う。
【００１７】
記憶部３２は、ＨＤＤ（Hard Disk Drive）などの不揮発性の補助記憶装置であり、各種のプログラムやデータが記憶されている。記憶部３２には、文書作成アプリケーションプログラム３２１が記憶されている。制御部３１は、文書作成アプリケーションプログラム３２１に記述された手順に従って、使用者の操作に応じて文字、図形、表などを配した文書を表す画像データをＲＡＭ上に作成する。制御部３１は、画像データを取得する取得手段の一例である。
【００１８】
また、記憶部３２には、プリンタドライバ３２２が記憶されている。制御部３１は、プリンタドライバ３２２に記述された手順に従って、文書作成アプリケーションプログラム３２１によって作成された画像データを画像形成装置１が解釈可能なページ記述言語で記述された画像データに変換する。このプリンタドライバ３２２には、ＲＧＢ色空間における赤色の範囲が記述されている。本実施形態では、ＲＧＢの各色を２５６階調で表し、Ｒ＝２５５、Ｇ＝０乃至５１、Ｂ＝０乃至５１を赤色の範囲とする。記憶部３２は、色空間における特定の色の範囲を記憶する記憶手段の一例である。
【００１９】
また、プリンタドライバ３２２には、文書作成アプリケーションプログラム３２１によって作成された画像データに対して制御部３１が施す処理の手順が記述されている。制御部３１は、作成された画像データが表す画像に対して、当該画像における赤色に該当する領域の色を黒色に変更する処理（以下、色変更処理という）と、当該領域の周囲に黒色の画像を付加する処理（以下、修飾付加処理という）とを施し、色変更処理および修飾付加処理の施された画像を表す画像データを生成する。
【００２０】
（２）動作
使用者は、画像処理装置３に文書作成アプリケーションプログラム３２１を実行させ、表示部３４に表示された画像を見ながら操作部３３を操作して文書を作成する。使用者は、文書中で強調すべき文字がある場合には、その文字の色が赤色となるように操作部３３によって画像処理装置３に指示を与える。図４（ａ）は、作成された文書の例である。この文書では、Ａ乃至Ｈからなる文字列のうちＥ、Ｆ、Ｇの３文字が赤色で表されており、その他の文字は黒色で表されている。制御部３１は、文書作成アプリケーションプログラム３２１に記述された手順に従って、使用者の操作に応じた画像データをＲＡＭ上に作成する。
【００２１】
プリンタドライバ３２２には、色変換処理および修飾付加処理を実行するか否かを指定する機能が備えられている。図６は、色変換処理および修飾付加処理を実行するか否かを指定するためのダイアログボックス５を示す図である。ダイアログボックス５は、文書作成アプリケーションプログラム３２１で作成中の文書を表示するウィンドウに設けられたメニューを操作することによって表示される。「カラーモード」なるリストボックスでは、「カラー印刷」と「白黒印刷」のいずれかを指定することができる。「カラーユニバーサルプリント」なるリストボックスでは、「使用しない」、「赤文字に網掛け（うすく）」、「赤文字に網掛け（こく）」、「赤文字に下線」の４つの項目のいずれかを指定することができる。「白黒印刷」が指定され、且つ、「赤文字に網掛け（うすく）」、「赤文字に網掛け（こく）」、「赤文字に下線」のいずれかが指定された場合にのみ、色変換処理および修飾付加処理が実行される。「赤文字に網掛け（うすく）」、「赤文字に網掛け（こく）」、「赤文字に下線」が指定されると、修飾付加処理として、それぞれ低濃度の網掛け、高濃度の網掛け、下線の付加が行われる。ここでは、「白黒印刷」と「赤文字に下線」が指定されたものとする。
さて、作成した文書を印刷するように指示が与えられると、制御部３１は、プリンタドライバ３２２を実行し、図５に示す処理を開始する。
【００２２】
最初に、制御部３１は、プリンタドライバ３２２が色変換処理および修飾付加処理を実行するように設定されているか否かを判定する（ステップＡ０１）。当該処理を実行するように設定されている場合には、制御部３１はステップＡ０２の処理に進み、当該処理を実行しないように設定されている場合には、ステップＡ０４の処理に進む。上記のとおり、ダイアログボックス５において「白黒印刷」と「赤文字に下線」が指定されたので、ステップＡ０２に進む。
ステップＡ０２において、制御部３１は、画像データが表す画像から赤色の文字を抽出する。画像データには、図４（ａ）に示した各文字の書体や大きさを指定する情報とともに、各文字の色を指定する色情報（Ｒ、Ｇ、Ｂの階調値）が各文字と対応付けて記述されている。制御部３１は、この色情報と、プリンタドライバ３２２に記述されている赤色の範囲とを比較することによって赤色の文字を抽出する。制御部３１は、赤色の文字が抽出された場合には（ステップＡ０２：Ｙｅｓ）、ステップＡ０３の処理に進む。赤色の文字が抽出されなかった場合には（ステップＡ０２：Ｎｏ）、ステップＡ０４の処理に進む。
【００２３】
ステップＡ０３において、制御部３１は、ステップＡ０２で抽出された赤色の文字の色を黒色に変更する色変更処理を実行する。具体的には、制御部３１は、画像データに含まれる色情報のうち、赤色の文字に対応付けられた色情報を黒色を表す色情報（Ｒ＝０、Ｇ＝０、Ｂ＝０）に書き換える。図４（ｂ）は、色変更処理が施された画像を図示したものであり、色変更処理以前に赤色であったＥ、Ｆ、Ｇの３文字の色が、他の文字と同様の黒色に変更されている。
【００２４】
次に、制御部３１は、黒色に変更された文字の周囲に黒色の画像を付加する修飾付加処理を実行する。具体的には、制御部３１は、黒色の網掛けの画像を表す情報をＥ、Ｆ、Ｇの各文字と対応付けて画像データに付加する。図４（ｃ）は、修飾処理が施された画像を図示したものであり、Ｅ、Ｆ、Ｇの３文字に対して、黒色の網掛けを表す画像が付加されている。
つまり、制御部３１は、取得手段によって取得された画像データが表す画像に対して、当該画像における特定の色の範囲に該当する領域の色を黒色に変更する処理と、当該領域の周囲に黒色の画像を付加する処理と、を施した画像を表す画像データを生成する生成手段の一例である。
上記の処理が完了したならば、制御部３１は、ステップＡ０４の処理に進む。
【００２５】
ステップＡ０４において、制御部３１は、画像データをページ記述言語で記述された画像データに変換する。そして、ステップＡ０５において、制御部３１は、ページ記述言語で記述された画像データと、その画像データに応じた画像を形成することを表す指示とを、通信手段２を介して画像形成装置１に送信する。
画像処理装置３から送信された画像データおよび指示を画像形成装置１の通信部１５が受信すると、画像形成装置１の制御部１１は、その画像データをビットマップ化し、ビットマップ化された画像データに対して２値化処理を施し、この画像データを画像形成部１７に供給する。画像形成部１７は、供給された画像データが表す画像を黒色のトナーで記録用紙に形成する。
【００２６】
ここで、本実施形態の作用について説明する。２値化処理の手法は様々なものが知られており、本実施形態においてもいかなる手法を用いてもよいが、ここでは、組織的ディザ法を用いた場合について説明する。具体的には、制御部１１は、ビットマップ化された画像データが表す各画素の色情報から各画素の明度を求め、予め定められた閾値マトリックスで表される閾値と各画素の明度とを比較し、明度が閾値以上である画素の色情報を白色を表す色情報（Ｒ＝２５５、Ｇ＝２５５、Ｂ＝２５５）に書き換え、明度が閾値未満である画素の色情報を黒色を表す色情報（Ｒ＝０、Ｇ＝０、Ｂ＝０）に書き換える。
【００２７】
仮に、黒色の文字列と赤色の文字列とが混在した画像に対して上記の２値化処理を施したとすると、２値化処理前に黒色であった文字列は２値化処理後も黒色のままであるが、２値化処理前に赤色であった文字列は、２値化処理後は灰色の文字列として人間に認識されるから、黒色の文字列よりも視認性が低下してしまい、赤色で強調した効果が薄れてしまう。強調の効果を補うために文書作成時に赤色の文字列に対して下線や網掛け等の修飾を付加した場合、付加された修飾もまた赤色で着色される。すると、これらの修飾も２値化処理によって灰色として視認されることになるから、強調の効果はさほど期待できない。また、網掛けは網点状の模様であるが、２値化処理によってこの模様が部分的に欠落するから、網掛けの効果も薄れてしまう。
【００２８】
これに対して本実施形態では、色変更処理によってＥ、Ｆ、Ｇの３文字の色が赤色から黒色に変更され、また、修飾付加処理によってこの３文字に黒色の網掛けが付加される。つまり、Ｅ、Ｆ、Ｇの３文字に対応する画素の色情報はすべて黒色を表す色情報（Ｒ＝０、Ｇ＝０、Ｂ＝０）に書き換えられ、網掛けに対応する画素の色情報も黒色を表す色情報（Ｒ＝０、Ｇ＝０、Ｂ＝０）である。この２つの処理が施された画像に対して上記の２値化処理を施すと、Ｅ、Ｆ、Ｇの３文字および網掛けに対応する画素の色情報は変更されずに出力される。このようにして２値化処理の施された画像データが表す画像を画像形成装置１によって記録用紙に形成すると、図４（ｃ）に示すように、Ｅ、Ｆ，Ｇの３文字が他の文字と同様に黒色の文字として視認され、この３文字に付加された黒色の網掛けに欠落が生じることもない。
【００２９】
また、図７（ａ）に示すように、例えば青色を背景として黒色と赤色の文字列が配され、この青色と赤色の明度が同等の場合、この文書を従来の画像形成装置で白黒印刷すると、図７（ｂ）に示すように、人間は、背景の色と文字列の色とを同等の濃度の灰色として認識してしまうため、文字列を認識しにくくなってしまう。このような文書の場合でも、本実施形態によれば、図７（ｃ）に示すように、赤色の文字列の色が黒色に変更されるため、背景は灰色、当該文字列は黒色として視認され、当該文字列の認識が可能となる。
【００３０】
（３）変形例
以下に示す変形例は互いに組み合わせてもよい。
（変形例１）
上記の実施形態では、記憶部３２に赤色の範囲を記憶させておき、この範囲に該当する領域の色を黒色に変更する例を示したが、記憶部３２に記憶させる色の範囲はいかなる範囲でもよい。例えば、特定の文字列を青色で着色した文書を白黒印刷する場合には、記憶部３２に青色の範囲を記憶させておくことによって、青色の文字列が黒色に変更されるとともに、当該文字列に黒色の画像が付加される。要するに、白黒印刷しようとする文書において黒色以外の色で着色されている文字列の色に応じて、記憶部３２に記憶させる色の範囲を定めればよい。
【００３１】
また、色弱者は特定の範囲の色を認識しにくいため、黒色以外の特定の範囲の色で着色された文字列と黒色の文字列との色の違いを認識できない場合がある。従って、色弱者に文書を配布する場合には、色弱者が認識しにくい色の範囲を記憶部３２に記憶させて文書を白黒印刷すればよい。色弱者は、認識しにくい色の範囲の違いによっていくつかの類型に分類されるが、中でも赤色を認識しにくい色弱者の割合が比較的多いとされている。また、強調すべき文字列を黒色以外の色で着色する場合には一般に赤色が多用される。従って、特定の色の範囲として赤色の範囲を記憶部３２に記憶させておくのが望ましい。
【００３２】
（変形例２）
上記の実施形態においては、強調すべき文字列に網掛けの画像を付加する例を示したが、付加する画像はいかなる画像でもよい。例えば、図４（ｄ）に示すように当該文字列に下線を付加してもよい。
【００３３】
（変形例３）
上記の実施形態においては、文字列を対象として色変更処理および修飾付加処理を施す例を示したが、色変更処理および修飾付加処理の対象は、図形や表などいかなる画像でもよい。図８は、棒グラフに対して色変更処理および修飾処理を施した例を示す図である。図８（ａ）の棒グラフＧ１２１は処理前のグラフである。このグラフにおいては、Ａ支店に対応する棒が黒色、Ｂ支店に対応する棒が赤色、Ｃ支店に対応する棒が緑色で表されている。これに対して、図８（ｂ）に示した処理後のグラフであるグラフＧ１２２では、赤色の領域の色が黒色に変更された結果、Ａ支店に対応する棒とＢ支店に対応する棒が黒色、Ｃ支店に対応する棒が灰色で表されている。さらに、Ｂ支店に対応する棒の下端に黒色の三角形の図形が付加されている。
【００３４】
（変形例４）
上記の実施形態におけるステップＡ０３において色変更処理と修飾付加処理の順番を入れ換えてもよい。この場合、制御部３１は、ステップＡ０２で抽出された赤色の文字の周囲に黒色の画像を付加し（修飾付加処理）、黒色の画像の付加された文字の色を黒色に変更する（色変更処理）。この順番でも、上記の実施形態と同じ画像が得られる。
【００３５】
（変形例５）
上記の実施形態では、画像データが表す画像に対して特定の色の範囲に該当する領域を修飾する黒色の画像を付加する例（修飾付加処理）を示したが、この処理の代わりに、当該領域の形状を変更する処理を行ってもよい。具体的には、上記実施形態におけるステップＡ０３における修飾付加処理の代わりに、制御部３１は、色変更処理によって黒色に変更された文字列に対して、その文字の形状を変化させる変形処理を加える。例えば、図４（ｅ）に示すように、文字列の書体を斜体に変更してもよい。
なお、ステップＡ０３における色変更処理と変形処理の順番を入れ換えてもよい。
すなわち、制御部３１は、取得手段によって取得された画像データが表す画像に対して、当該画像における特定の色の範囲に該当する領域の色を黒色に変更する処理と、当該領域の形状を変化させる処理と、を施した画像を表す画像データを生成する生成手段の一例である。
【００３６】
（変形例６）
上記実施形態では、画像処理装置３の制御部３１がプリンタドライバ３２２を実行することによって色変更処理および修飾付加処理を行う例を示したが、これらの処理の手順を記述したプログラムを画像形成装置１の記憶部１２に記憶させ、制御部１１がこれらの処理を実行するようにしてもよい。このようにすれば、画像読取部１６が読み取った画像を表す画像データに対して色変更処理および修飾付加処理を施すことが可能となるので、記録用紙に形成された画像を白黒で複写する場合にも、色変更処理および修飾付加処理の施された画像を得ることができる。
また、上記の色変更処理および修飾付加処理を実行するＡＳＩＣ（Application Specific Integrated Circuit）を画像処理装置３に実装してもよい。
【００３７】
（変形例７）
上記の実施形態では、特定の色の範囲をＲＧＢ色空間における階調値で表した例を示したが、例えば色相（Hue）、彩度（Saturation）、輝度（Lightness）で色を表現するＨＬＳ色空間等、いかなる色空間で色の範囲を定義してもよい。
【符号の説明】
【００３８】
１…画像形成装置、１１…制御部、１２…記憶部、１３…操作部、１４…表示部、１５…通信部、１６…画像読取部、１７…画像形成部、２…通信手段、３…画像処理装置、３１…制御部、３２…記憶部、３２１…文書作成アプリケーションプログラム、３２２…プリンタドライバ、３３…操作部、３４…表示部、３５…通信部。
【図１】
2010232736.tif 000003
【図２】
2010232736.tif 000004
【図３】
2010232736.tif 000005
【図４】
2010232736.tif 000006
【図５】
2010232736.tif 000007
【図６】
2010232736.tif 000008
【図７】
2010232736.tif 000009
【図８】
2010232736.tif 000010